(57)【要約】【課題】作業性を高め得るようにする。【解決手段】施封小束支払機３は、紙幣小束Ｔを収納する小束金庫５６と、紙幣小束Ｔを外部へ排出すると共に外部から紙幣小束Ｔを取り込む入出金口４０と、紙幣小束Ｔが載置された昇降機構部４４を上下方向に移動させて小束金庫５６と入出金口４０との間で紙幣小束Ｔを移動させる昇降部４２と、入出金口４０から取り込んだ紙幣小束Ｔの束数及び金種認識する認識部５４と、認識部５４に紙幣小束Ｔの束数及び金種を認識させた後に紙幣小束Ｔを小束金庫５６に収納させ、小束金庫５６内の紙幣小束Ｔの束数及び金種を確定する制御部３０とを設けるようにした。【選択図】図２
2015082188.tif 000002
【特許請求の範囲】
【請求項１】
媒体を収納する媒体収納庫と、
前記媒体を外部へ排出すると共に外部から前記媒体を取り込む入出口と、
前記媒体が載置された昇降機構部を上下方向に移動させて前記媒体収納庫と前記入出口との間で前記媒体を移動させる昇降部と、
前記入出口から取り込んだ前記媒体の個数及び種別を認識する認識部と、
前記認識部に前記媒体の個数及び種別を認識させた後に前記媒体を前記媒体収納庫に収納させる制御部と
を有する媒体処理装置。
【請求項２】
前記制御部は、前記媒体収納庫に収納された前記媒体の種別が不確定になる可能性があると判別した場合、１つの前記媒体収納庫内の前記媒体を前記昇降機構部へ移動させて一時保管し、収納されていた前記媒体が前記昇降機構部へ移動されることにより当該媒体が収納されていない当該媒体収納庫へ他の媒体収納庫内の媒体を移動させ、当該他の媒体収納庫に収納された媒体の種別を認識部により識別させる精査処理を行う
請求項１に記載の媒体処理装置。
【請求項３】
前記制御部は、前記媒体収納庫へオペレータが前記媒体を装填したことを検出したとき、前記媒体収納庫に収納された前記媒体の種別が不確定になる可能性があると判別する
請求項２に記載の媒体処理装置。
【請求項４】
前記媒体収納庫に設けられ前記媒体の側面に沿って上下方向に移動することにより、当該媒体収納庫に収納された前記媒体の個数を計数する在高センサ
をさらに有し、
前記制御部は、前記媒体収納庫へオペレータが前記媒体を装填したことを検出したとき、前記精査処理を行う一方、前記媒体収納庫へオペレータが前記媒体を装填したことを検出しないとき、前記在高センサを用いて前記媒体収納庫に収納された前記媒体の個数を計数する在高確認処理を行う
請求項３に記載の媒体処理装置。
【請求項５】
前記昇降機構部は、前記媒体処理装置から外部へ引き出され、オペレータにより前記媒体を載置される
請求項１に記載の媒体処理装置。
【請求項６】
前記制御部は、前記媒体が異常媒体であると前記認識部により認識した場合、当該異常媒体を前記入出口へ戻す
請求項１に記載の媒体処理装置。
【請求項７】
前記制御部は、前記媒体が異常媒体であると前記認識部により認識した場合、当該異常媒体を所定の収納庫へ収納する
請求項１に記載の媒体処理装置。
【請求項８】
前記制御部は、前記媒体が異常媒体であると前記認識部により認識した場合に当該異常媒体を前記入出口へ戻すか、所定の収納庫へ収納するかをオペレータに選択させる
請求項１に記載の媒体処理装置。
【請求項９】
前記制御部は、前記媒体の種別をオペレータに指定されることなく取り込んで当該媒体の種別を前記認識部により認識し、当該認識部により識別された種別に対応する前記媒体収納庫に前記媒体を収納する
請求項１に記載の媒体処理装置。
【請求項１０】
前記媒体を把持して前記昇降機構部から前記媒体収納庫の上まで搬送する媒体移動機構と、
前記認識部が設けられると共に、前記媒体移動機構に把持された前記媒体を前記媒体収納庫へ押し込む媒体押込機構と
をさらに有し、
前記制御部は、前記媒体を把持した前記媒体移動機構を、前記昇降部に最も近接する前記媒体収納庫の上で待機する前記媒体押込機構まで移動させて前記認識部により当該媒体の種別を認識し、認識した種別に対応する前記媒体収納庫の上へ前記媒体移動機構及び前記媒体押込機構を移動させて当該媒体収納庫に当該媒体を収納する
請求項９に記載の媒体処理装置。
【請求項１１】
前記制御部は、前記媒体の種別をオペレータに指定されて取り込み、指定された種別に対応する前記媒体収納庫に前記媒体を収納する
請求項１に記載の媒体処理装置。
【請求項１２】
前記媒体を把持して前記昇降機構部から前記媒体収納庫の上まで搬送する媒体移動機構と、
前記認識部が設けられると共に、前記媒体移動機構に把持された前記媒体を前記媒体収納庫へ押し込む媒体押込機構と
をさらに有し、
前記制御部は、前記媒体を把持した前記媒体移動機構を、指定された種別に対応する前記媒体収納庫の上で待機する前記媒体押込機構まで移動させて当該媒体収納庫に当該媒体を収納する
請求項１１に記載の媒体処理装置。
【請求項１３】
前記媒体は、所定枚数の紙葉状の媒体が帯で施封された小束である
請求項１に記載の媒体処理装置。
【発明の詳細な説明】
【技術分野】
【０００１】
本発明は、媒体処理装置に関し、例えば紙幣を所定枚数単位で施封して収納及び出金する施封小束支払機に適用して好適なものである。
【背景技術】
【０００２】
従来、出納システムは、金融機関内等に設置されており、例えば紙幣を入出する紙幣入出金機や紙幣を所定枚数ごとに施封する施封小束支払機等、紙幣や硬貨の取引に関する種々の処理を行う複数種類の装置の組み合わせにより構成されている。
【０００３】
施封小束支払機は、紙幣を所定枚数（例えば１００枚）単位で紙帯により施封して、これを紙幣小束として小束金庫に収納したり、出金したりできるようになされている（例えば、特許文献１参照）。
【０００４】
この施封小束支払機は、オペレータが紙幣小束の補充等を行う保守作業時には、小束金庫が設けられたユニットを当該オペレータが引き出すことにより、内部の各部に対する作業を容易に行わせる。
【先行技術文献】
【特許文献】
【０００５】
【特許文献１】特開２００５−１５７７５９号公報
【発明の概要】
【発明が解決しようとする課題】
【０００６】
このような施封小束支払機においては、施封された紙幣小束を出金はするものの、紙幣小束を外部からオペレータが入金する場合、ユニットを引き出して小束金庫に直接当該紙幣小束を装填する必要があり、オペレータに煩雑な作業を要してしまっていた。
【０００７】
本発明は以上の点を考慮したもので、作業性を向上し得る媒体処理装置を提案しようとするものである。
【課題を解決するための手段】
【０００８】
かかる課題を解決するため本発明の媒体処理装置においては、媒体を収納する媒体収納庫と、媒体を外部へ排出すると共に外部から媒体を取り込む入出口と、媒体が載置された昇降機構部を上下方向に移動させて媒体収納庫と入出口との間で媒体を移動させる昇降部と、入出口から取り込んだ媒体の個数及び種別を認識する認識部と、認識部に媒体の個数及び種別を認識させた後に媒体を媒体収納庫に収納させる制御部とを設けるようにした。
【０００９】
この媒体処理装置は、ユニットを引き出して媒体収納庫に媒体を装填するという煩雑な作業をオペレータに強いることなく、入出口から昇降機構部に媒体を載置させるという簡易な作業を行わせるだけで、媒体を入金させることができる。
【発明の効果】
【００１０】
本発明によれば、ユニットを引き出して媒体収納庫に媒体を装填するという煩雑な作業をオペレータに強いることなく、入出口から昇降機構部に媒体を載置させるという簡易な作業を行わせるだけで、媒体を入金させることができる。かくして本発明は、作業性を高め得る媒体処理装置を実現できる。
【図面の簡単な説明】
【００１１】
【図１】出納システムの全体構成を示す斜視図である。
【図２】施封小束支払機の内部構成を示す右側面図である。
【図３】引出状態の施封小束支払機の内部構成を示す右側面図である。
【図４】入金リジェクト紙幣小束の経路（１）を示す略線図である。
【図５】正常紙幣小束の経路を示す略線図である。
【図６】入金リジェクト紙幣小束の経路（２）を示す略線図である。
【発明を実施するための形態】
【００１２】
以下、発明を実施するための形態について、図面を用いて詳細に説明する。
【００１３】
［１．第１の実施の形態］
［１−１．出納システムの構成］
図１において、出納システム１は、例えば金融機関の営業店において図示しない接客用カウンタの後方に設置され、金銭に関する入金や出金等の各種処理を総合的に実行するようになされている。
【００１４】
出納システム１は、紙幣入出金機２、施封小束支払機３、紙幣補充回収機４、新券支払機５、棒金支払機６、硬貨入出金機７、認証プリンタ８、現金外ポスト９、制御装置１２及び操作表示部１３を有している。
【００１５】
紙幣入出金機２は、紙幣を１枚単位で入出金する。施封小束支払機３は、金種別の紙幣を所定枚数（例えば１００枚）毎に施封して紙幣小束にした状態で収納し、また紙幣の紙幣小束を出金する。
【００１６】
紙幣補充回収機４は、例えば金融機関の営業店、小売店や公共施設等に設置される現金自動預払機（ＡＴＭ：Automatic Teller Machine、図示せず）に着脱可能で、当該現金自動預払機で行われる取引用の紙幣を収納する補充回収カセットに紙幣を補充し、また補充回収カセットから紙幣を回収する。
【００１７】
新券支払機５は、紙幣補充回収機４の上側に組み込まれて一体化されており、各金種の新券（新札）を出金する。棒金支払機６は、金種別の一定枚数毎に棒状に重ねて包まれた硬貨（いわゆる棒金）を出金する。硬貨入出金機７は、硬貨を１枚単位で入出金する。
【００１８】
認証プリンタ８は、紙幣補充回収機４に載置され、紙幣入出金機２や施封小束支払機３、紙幣補充回収機４、新券支払機５、棒金支払機６及び硬貨入出金機７で行われる入金や出金等の処理内容を認証して所定の帳票等に印字し排出する。現金外ポスト９は、硬貨入出金機７に載置されており、現金以外の小切手や定期預金証書等の有価証券を取り込んで入金処理する。
【００１９】
操作表示部１３はディスプレイ１０とキーボード１１とにより構成されている。ディスプレイ１０は、紙幣入出金機２に正面を前方向に向けて載置されており、入金や出金等の各種処理に関する種々の情報を表示するＬＣＤ（Liquid Crystal Display）と、取引の種類の選択、金種等を入力するタッチパネルとが一体化されている。キーボード１１は、ディスプレイ１０の前に載置されており、入金や出金等の各種処理に関する種々の情報や指示等を入力する。制御装置１２は、出納システム１全体を統括制御する。
【００２０】
出納システム１は、これら各種装置の少なくとも一部については比較的自由に配置することができるものの、例えば、棒金支払機６、施封小束支払機３、紙幣補充回収機４、紙幣入出金機２、制御装置１２及び硬貨入出金機７が、各々の正面を同一方向に向け互いに隣接するよう横一列に配置されている。
【００２１】
以下の説明では、出納システム１における棒金支払機６、施封小束支払機３、紙幣補充回収機４、紙幣入出金機２、制御装置１２及び硬貨入出金機７各々の正面が向く方向を前方向と定義し、その反対を後方向と定義して、さらに当該出納システム１の前側に対峙したときの左右方向及び上下方向をそれぞれ定義する。
【００２２】
出納システム１では、右方向に沿って順次隣接させるようにして配置された施封小束支払機３、紙幣補充回収機４及び紙幣入出金機２が、紙幣を左方向及び右方向に搬送する装置間搬送部（図示せず）によって接続されている。
【００２３】
これにより出納システム１は、施封小束支払機３、紙幣補充回収機４及び紙幣入出金機２の間で、施封や補充、回収等の各種処理に用いる紙幣を装置間搬送部を介して適宜搬送して受け渡すことができる。
【００２４】
［１−２．施封小束支払機の内部構成］
図２に示すように、施封小束支払機３は、箱状の施封小束支払機筐体２０を中心に構成されており、当該施封小束支払機筐体２０の前面に入出金口４０が設けられている。
【００２５】
施封小束支払機筐体２０の内部には、上側に配置された上部ユニット２４と、下側に配置された下部ユニット２６とが設けられている。上部ユニット２４には、主に制御部３０、装置間搬送部３２、集積部３４、紙幣クランプ移動部３６、施封部３８及び入出金口４０が設けられている。下部ユニット２６には、主に昇降部４２、オーバーフロー庫４８、小束クランプ移動機構５０、小束押込機構５２、認識部５４及び小束金庫５６（５６ａ〜５６ｄ）が設けられている。
【００２６】
この施封小束支払機３は、紙幣の長辺が左右方向に沿った状態で紙幣小束を搬送すると共に、小束金庫５６、オーバーフロー庫４８及び昇降機構部４４に収納する。
【００２７】
施封小束支払機筐体２０は、前側に内部空間と外部とを連通させる連通孔が形成されており、当該内部空間内に下部ユニット２６を収納している。下部ユニット２６はスライドレール（図示せず）を介して施封小束支払機筐体２０に取り付けられており、当該施封小束支払機筐体２０に対し前方向又は後方向へ直線的に且つ円滑に移動する。
【００２８】
下部ユニット２６の前面には、当該下部ユニット２６が施封小束支払機筐体２０内部に収納された際に当該施封小束支払機筐体２０の連通孔を閉鎖する前面壁２２が形成されている。すなわち施封小束支払機３は、オペレータとの間で現金に関する取引を行う取引動作時には、図２に示したように下部ユニット２６を施封小束支払機筐体２０内部に収納することにより、内部に保有している紙幣等を保護する。一方施封小束支払機３は、金融機関の職員等の保守作業者が紙幣小束の補充・回収等を行う保守作業時には、図３に示すように施封小束支払機筐体２０内部から下部ユニット２６を引き出させることにより、内部の各部に対する作業を容易に行わせる。
【００２９】
また施封小束支払機筐体２０には、下部ユニット２６が当該施封小束支払機筐体２０に収納されているか又は引き出されているかを検出する下部ユニットセンサ（図示せず）が設けられ、検出結果を制御部３０へ供給する。
【００３０】
装置間搬送部３２は、施封小束支払機３内の上側後端に配置され、紙幣補充回収機４又は紙幣入出金機２（図１）から搬送された紙幣を受け取り、集積部３４（３４ａ又は３４ｂ）へ１枚ずつ搬送する。
【００３１】
集積部３４は、装置間搬送部３２の前方に配置され、装置間搬送部３２から搬送された紙幣を金種毎に分類計数すると共に、当該紙幣を１００枚ずつ集積させる。
【００３２】
紙幣クランプ移動部３６は、装置間搬送部３２と集積部３４との間に配置され、当該集積部３４に集積された１００枚の紙幣を施封部３８まで搬送する。
【００３３】
施封部３８は、紙幣クランプ移動部３６の前方下側に配置され、当該紙幣クランプ移動部３６により搬送された１００枚の紙幣の束を紙幣小束Ｔとして紙帯で施封し、昇降部４２に搬送する。
【００３４】
昇降部４２は、施封小束支払機３内の前端に設けられ、施封小束支払機筐体２０の底板近傍を下端として入出金口４０の近傍まで上方に延在する昇降路４６と、当該昇降路４６内を上下方向に移動する昇降機構部４４とにより構成されている。
【００３５】
この昇降路４６の上端側には入出金口４０が設けられ、当該入出金口４０は、オペレータが入金する紙幣小束Ｔが投入されると共に、オペレータへ出金する紙幣小束Ｔを排出する。また入出金口４０は、入出金口シャッタ（図示せず）を駆動することにより開放又は閉塞する。
【００３６】
昇降機構部４４は、施封された紙幣小束Ｔを上側に載置された状態で昇降機構駆動部（図示せず）により昇降路４６内を上下方向に移動することにより、紙幣小束Ｔを入出金口４０と小束金庫５６の上方前側との間で移動させる。この昇降機構部４４は、昇降機構駆動部に加えて、所謂パンタグラフによっても上下方向に移動するようになされている。
【００３７】
オペレータと紙幣小束Ｔの入出金を行う際、昇降機構部４４は、昇降路４６の上端に近接する位置まで移動し入出金ポジションとなる。この入出金ポジションにおいて、オペレータは例えば５束分の紙幣小束Ｔを一度に昇降機構部４４に載置できる。ここで、施封小束支払機筐体２０内部において上部ユニット２４、昇降部４２及び昇降機構駆動部等を配置する際のスペースの制約上、入出金口４０からは５束までの紙幣小束Ｔを一度に昇降機構部４４に載置可能に設定されている。
【００３８】
またオペレータは、入出金口４０から紙幣小束Ｔを入金する以外にも、図３に示したように下部ユニット２６を施封小束支払機筐体２０から引き出し、昇降機構部４４に例えば２０束分の紙幣小束Ｔを直接載置することにより、紙幣小束Ｔを入金する昇降部小束装填処理を行うこともできる。
【００３９】
特に、昇降機構部４４が昇降路４６の下端に位置しパンタグラフを畳んだ退避ポジションにおいては、昇降機構部４４の上側には大きな空間が形成されるため、オペレータは、入出金ポジションよりも多くの紙幣小束Ｔを一度に昇降機構部４４に載置できる。
【００４０】
具体的に昇降部４２は、小束クランプ移動機構５０（後述する）が昇降路４６に入り込む位置から、退避ポジションにある昇降機構部４４の上面までの上下方向の長さに収まるだけの紙幣小束Ｔを保持可能となっている。
【００４１】
このように昇降機構部４４は、多くの紙幣小束Ｔを載置させることができ、小束金庫５６ａ〜５６ｄのうち、少なくとも１つの小束金庫５６に収納された紙幣小束Ｔを全て保持可能となっている。
【００４２】
さらに昇降部４２（図２）より後方下側に、上部ユニット２４と所定の間隔を空けるようにして、４個の小束金庫５６（５６ａ〜５６ｄ）が前後方向に並んで配置されている。小束金庫５６（５６ａ〜５６ｄ）は、例えば金種毎に用意され、内壁により囲まれた内部空間に、それぞれ指定された金種の紙幣小束Ｔを例えば２０束ずつ収納する。小束金庫５６には、当該小束金庫５６の内部空間を外部に対し遮断又は開放する小束金庫シャッタ（図示せず）が設けられている。本実施の形態においては、１万円札が１００枚ずつ施封された万券小束を小束金庫５６ａ及び５６ｂが、千円札が１００枚ずつ施封された千券小束を小束金庫５６ｃ及び５６ｄがそれぞれ収納する。
【００４３】
また小束金庫５６には、当該小束金庫５６内において上下方向に移動する在高センサ（図示せず）が設けられ、紙幣小束Ｔの側面に光を照射してその反射光を読み取ることにより束数を計数し、計数結果を制御部３０へ供給する。
【００４４】
さらに小束金庫５６には、小束金庫シャッタの開閉状態を検知する小束金庫シャッタセンサ（図示せず）が設けられ、当該小束金庫シャッタの開閉状態の検出結果を制御部３０へ供給する。
【００４５】
またこの施封小束支払機３においては、オペレータが手動で小束金庫５６に紙幣小束Ｔを直接装填する手動装填が可能となっている。手動装填を行う際、オペレータは、下部ユニット２６を施封小束支払機筐体２０から引き出し、紙幣小束Ｔを装填する対象の小束金庫５６の小束金庫シャッタを開いて紙幣小束Ｔを装填する。
【００４６】
オーバーフロー庫４８は、昇降部４２と小束金庫５６ａとの間に配置されている。オーバーフロー庫４８は、内壁により囲まれた内部空間を有し、小束金庫５６からの出金時や精査時に認識部５４（後述する）において金種を識別できなかった紙幣小束Ｔや、入金時に小束金庫５６が満杯で収納できなかった紙幣小束Ｔ等を収納する。オーバーフロー庫４８は、当該オーバーフロー庫４８の内部空間を外部に対し遮断又は開放するオーバーフロー庫シャッタ（図示せず）が設けられている。
【００４７】
このオーバーフロー庫４８は、内壁の前後方向の間隔が紙幣小束Ｔの前後方向（短辺方向）の幅よりも狭く形成されており、紙幣小束Ｔにおける紙幣の面に沿う面方向を水平ではなく斜めに傾けて積層堆積させて収納する。
【００４８】
小束クランプ移動機構５０及び小束押込機構５２は、上部ユニット２４と小束金庫５６との間の通路５８内を前後方向に移動するように構成されている。小束クランプ移動機構５０及び小束押込機構５２は、小束クランプ移動機構５０が前側、小束押込機構５２が後側となる位置関係を維持しながら通路５８内を移動する。
【００４９】
小束クランプ移動機構５０は、昇降機構部４４と小束金庫５６との間で紙幣小束Ｔを把持して移動させる。また小束クランプ移動機構５０は、昇降機構部４４又は小束金庫５６からオーバーフロー庫４８へも紙幣小束Ｔを移動させる。小束押込機構５２は、入金処理時において小束クランプ移動機構５０から小束金庫５６へ紙幣小束Ｔを押し込むと共に、出金処理時において、小束金庫５６に対し、当該小束金庫５６内に収納された紙幣小束Ｔを上方へ押し上げさせる。
【００５０】
小束押込機構５２には、紙幣小束Ｔの金種の識別、束数の計数、紙幣小束Ｔが正常に施封されているか否かの施封状態の検出を行う認識部５４が設けられている。認識部５４は、小束クランプ移動機構５０により把持された紙幣小束Ｔが当該認識部５４を通過する際に当該紙幣小束Ｔの金種を識別し、束数を計数し、施封状態を検出し、識別結果、計数結果及び検出結果を認識結果として制御部３０に供給する。
【００５１】
制御部３０は、装置間搬送部３２の下側に配置されている。制御部３０は、図示しないＣＰＵ（Central Processing Unit）を中心に構成されており、図示しないＲＯＭ（Read Only Memory）やフラッシュメモリ等から所定のプログラムを読み出して実行することにより、上述の各部を制御して、紙幣小束Ｔの施封処理、入金処理、出金処理、昇降部小束装填処理、小束金庫５６に収納された紙幣小束Ｔの金種及び束数を確認する精査処理等を行うようになされている。また制御部３０は、内部にＲＡＭ（Random Access Memory）、ハードディスクドライブやフラッシュメモリ等でなる記憶部を有しており、この記憶部に種々の情報を記憶させるようになされている。
【００５２】
［１−３．入金処理］
オペレータが操作表示部１３を操作することにより入金処理を選択すると、施封小束支払機３は、入出金口４０まで昇降機構部４４を移動させて入出金口シャッタを開き、オペレータからの紙幣小束Ｔの受け渡しを待機する。
【００５３】
オペレータが昇降機構部４４に紙幣小束Ｔを載置すると、施封小束支払機３は、入出金口シャッタを閉じる。このときオペレータは、入金する紙幣小束Ｔの金種及び束数を指定する操作表示部１３への操作を行うことなく、昇降機構部４４に紙幣小束Ｔを載置し入金処理を選択する。
【００５４】
昇降機構部４４は、紙幣小束Ｔを受け取ると、小束クランプ移動機構５０及び小束押込機構５２の通路５８の手前まで昇降路４６内を降りていき、昇降機構部４４に載置された紙幣小束Ｔのうち最上位の紙幣小束Ｔを小束クランプ移動機構５０が把持できる位置まで移動する。昇降機構部４４が通路５８の手前まで移動すると、通路５８の前端に移動してきた小束クランプ移動機構５０は、昇降機構部４４に載置された紙幣小束Ｔのうち最上位の紙幣小束Ｔを把持する。
【００５５】
このとき小束金庫５６ａの上には小束押込機構５２が位置しており、小束クランプ移動機構５０が昇降機構部４４から受け取った紙幣小束Ｔを把持したまま、小束金庫５６ａの上まで通路５８内を移動すると、小束クランプ移動機構５０と小束押込機構５２とが一体化する。このとき認識部５４は、下側を通過した紙幣小束Ｔの金種の識別、束数の計数、施封状態の検出を行い、認識結果を制御部３０に供給する。
【００５６】
ここで、入金された紙幣小束Ｔの金種が認識部５４において識別できなかった場合や、紙帯が正しく施封されていない場合や、識別された金種に対応する小束金庫５６が満杯の場合、制御部３０は、紙幣小束Ｔが入金リジェクト紙幣小束であると判別する。このとき施封小束支払機３は、小束押込機構５２を小束金庫５６ａの上に位置させたまま小束クランプ移動機構５０により昇降機構部４４まで紙幣小束Ｔを運んで載置し当該昇降機構部４４を入出金口４０まで昇降路４６内を上昇させ、入出金口シャッタを開くことにより、図４に示すように紙幣小束Ｔをオペレータに返却する。オペレータは、返却された紙幣小束Ｔの汚れや損傷、施封の状態を確認して小束や施封に問題がある場合は所定の処置をして再度入金する。
【００５７】
一方、入金された紙幣小束Ｔの金種が認識部５４において識別でき、且つ紙帯が正しく施封されており、且つ識別された金種に対応する小束金庫５６が満杯でない場合、制御部３０は、紙幣小束Ｔが正常紙幣小束であると判別する。このとき、一体化した小束クランプ移動機構５０及び小束押込機構５２は、認識部５４が識別した金種に対応する小束金庫５６の上へ移動し、小束押込機構５２が、小束クランプ移動機構５０に把持された紙幣小束Ｔを下方の小束金庫５６へと押し出す。この結果、この紙幣小束Ｔが小束金庫５６内の昇降ステージ（図示せず）上に積み重なるようにして収納される。
【００５８】
小束金庫５６の昇降ステージは、バネ等の付勢部材により上方に付勢されており、この昇降ステージと、小束金庫５６の上端の入出口付近に設けられたストッパとで、昇降ステージ上に積み重ねられた紙幣小束Ｔを上下方向に挟み込んで保持する。
【００５９】
小束クランプ移動機構５０は、昇降機構部４４に載置された紙幣小束Ｔがなくなるまで上述した動作を繰り返すことにより、図５に示すように、入金された紙幣小束Ｔを小束金庫５６へ収納する。このときも小束押込機構５２は、小束金庫５６ａへ移動して待機し、小束クランプ移動機構５０のみが、昇降機構部４４と小束金庫５６との間を移動する。
【００６０】
昇降機構部４４に載置された紙幣小束Ｔがなくなると、施封小束支払機３は、追加して入金する紙幣小束Ｔが存在するか否かをオペレータに問い合わせ、追加する紙幣小束Ｔが存在すると選択された場合は上述した動作を繰り返すことにより昇降機構部４４に載置された紙幣小束Ｔを小束金庫５６に収納することにより入金処理を終了する。
【００６１】
このように施封小束支払機３は、入金された紙幣小束Ｔの金種及び束数を判別して金種毎に設定された小束金庫５６に収納することにより、小束金庫５６ａ〜５６ｄに収納する紙幣小束Ｔの金種及び束数を確定する。
【００６２】
因みに施封小束支払機３は、入出金口４０から入金された紙幣小束Ｔを小束金庫５６に収納する以外にも、施封部３８によって施封された紙幣小束Ｔを小束金庫５６に収納することも可能となっている。この場合施封小束支払機３は、施封部３８まで昇降機構部４４を移動させて当該施封部３８から昇降機構部４４へ紙幣小束Ｔを受け渡し、上述した入金処理と同様の動作を行う。
【００６３】
［１−４．昇降部小束装填処理］
一方、昇降部小束装填処理を行う際、オペレータは、図３に示したように施封小束支払機筐体２０から下部ユニット２６を引き出す。このとき図示しない昇降機構駆動部は、昇降機構部４４を退避ポジションまで下降させる。下部ユニット２６が引き出されたことを下部ユニットセンサにより検出すると、制御部３０は、小束金庫５６ａ〜５６ｄの小束金庫シャッタを閉鎖することにより、小束金庫５６ａ〜５６ｄに紙幣小束Ｔが装填されることや、小束金庫５６ａ〜５６ｄから紙幣小束Ｔが取り出されることを防止する。
【００６４】
続いてオペレータは、昇降機構部４４に上方から例えば２０束分の紙幣小束Ｔを直接載置し、下部ユニット２６を押し込んで施封小束支払機筐体２０内部に収納させる。下部ユニット２６が収納されたことを下部ユニットセンサにより検出すると、制御部３０は、小束金庫５６ａ〜５６ｄの小束金庫シャッタを開放することにより、小束金庫５６ａ〜５６ｄに対する紙幣小束Ｔの収納及び繰出を可能な状態とする。
【００６５】
その後施封小束支払機３は、上述した入金処理とほぼ同様の動作を行う。このときも施封小束支払機３は、昇降機構部４４に載置された紙幣小束Ｔが正常紙幣小束であった場合は小束金庫５６に収納する一方、入金リジェクト紙幣小束であった場合はオーバーフロー庫４８に収納する。
【００６６】
このように施封小束支払機３は、昇降部小束装填処理時、オペレータが昇降機構部４４に載置した紙幣小束Ｔを、金種毎に設定された小束金庫５６に収納することにより、オペレータが外部から持ってきた大量の紙幣小束Ｔを一度に装填でき、オペレータの装填作業を軽減できる。
【００６７】
［１−５．出金処理］
また、オペレータが操作表示部１３を操作することにより出金処理を選択すると、まず、昇降機構部４４が通路５８の手前まで昇降路４６内を移動する。
【００６８】
ここで、小束クランプ移動機構５０及び小束押込機構５２がオペレータにより指定された金種の小束金庫５６（５６ａ〜５６ｄ）の上まで移動する。このとき小束押込機構５２は、小束クランプ移動機構５０内と一体化する。小束押込機構５２は、押込プレート（図示せず）を下方まで伸ばして、下方の小束金庫５６の昇降ステージ上に積み重ねられている紙幣小束Ｔを押し下げる。
【００６９】
小束金庫５６は、小束押込機構５２により紙幣小束Ｔが下方に押し下げられると、入出口付近に設けられたストッパが外れる仕組みになっている。ストッパが外れると、昇降ステージ上に積み重ねられている紙幣小束Ｔは、当該昇降ステージと小束押込機構５２の押込プレートとの間で保持されながら当該昇降ステージと共に上昇する。
【００７０】
そして昇降ステージ上に積み重ねられている紙幣小束Ｔのうち１番上の紙幣小束Ｔ（最上位紙幣小束）が小束金庫５６の入出口の外まで上昇すると、小束クランプ移動機構５０は、この最上位紙幣小束を前方へスライドするよう移動させた後に把持する。
【００７１】
そして小束クランプ移動機構５０は、小束金庫５６から受け取った紙幣小束Ｔを把持したまま、小束押込機構５２から分離する。このとき認識部５４は、下側を通過した紙幣小束Ｔの金種の識別、束数の計数、施封状態の検出を行い、認識結果を制御部３０に供給する。
【００７２】
出金しようとしている紙幣小束Ｔの金種が認識部５４において識別でき、且つ指定された金種の紙幣小束であり（すなわち指定された小束金庫５６に収納されているべき金種の紙幣小束であり）、且つ紙帯が正しく施封されている場合、制御部３０は、紙幣小束Ｔが正常紙幣小束であると判別する。このとき小束クランプ移動機構５０は、通路５８内を昇降機構部４４の昇降路４６まで移動する。
【００７３】
小束クランプ移動機構５０は、昇降路４６まで移動すると、このとき把持している紙幣小束Ｔを離し、昇降機構部４４に載置する。指定された束数の紙幣小束Ｔが載置されると、昇降機構部４４が入出金口４０まで昇降路４６内を上昇し、入出金口シャッタが開くことにより、紙幣小束Ｔがオペレータに受け渡される。
【００７４】
一方、出金しようとしている紙幣小束Ｔの金種が認識部５４において識別できなかった場合や、指定された金種の紙幣小束ではない場合や、紙帯が正しく施封されていない場合、制御部３０は、紙幣小束Ｔが出金リジェクト紙幣小束であると判別する。このとき施封小束支払機３は、小束クランプ移動機構５０によりオーバーフロー庫４８まで紙幣小束Ｔを運び、オーバーフロー庫シャッタを開いて当該オーバーフロー庫４８に紙幣小束Ｔを収納する。
【００７５】
このように施封小束支払機３は、出金処理時、金種毎に設定された小束金庫５６から紙幣小束Ｔを繰り出して出金する。
【００７６】
［１−６．在高確認処理］
施封小束支払機３が、小束金庫５６内の紙幣小束Ｔの束数である在高を確認する在高確認処理は、小束金庫５６に収納された紙幣小束Ｔの金種が既に認識部５４により識別されている状態であり、小束金庫５６内の在高を確認するだけで、当該小束金庫５６内の金種及び束数が確定する場合に実行される処理である。
【００７７】
オペレータが操作表示部１３を操作することにより在高確認処理を選択すると、施封小束支払機３は、小束金庫５６内において在高センサを上下方向に移動させつつ紙幣小束Ｔの側面に光を照射することにより、束数を計数する。
【００７８】
このように施封小束支払機３は、在高センサを小束金庫５６において上下方向に移動させるという簡便な処理を行うだけで、当該小束金庫５６の在高を確認することができる。
【００７９】
［１−７．精査処理］
施封小束支払機３が小束金庫５６内の紙幣小束Ｔの金種及び束数を確認する精査処理は、例えばオペレータにより手動装填が行われたときや、下部ユニット２６が引き出されたとき等、制御部３０が認識する小束金庫５６内の紙幣小束の金種又は束数が不確定になる可能性がある場合に実行される処理である。
【００８０】
すなわち、例えばオペレータにより手動装填が行われた場合、施封小束支払機３は、在高確認処理を行うことにより束数を計数することはできるが、当該在高確認処理だけでは金種を識別することはできない。このような場合施封小束支払機３は、以下の精査処理を実行することにより、それぞれの小束金庫５６（５６ａ〜５６ｄ）に収納された紙幣小束Ｔの金種及び束数を確定する。
【００８１】
精査処理を行う場合、精査を行う対象となる小束金庫５６である精査対象小束金庫を制御部３０が例えば小束金庫５６ａに設定すると、小束クランプ移動機構５０及び小束押込機構５２は小束金庫５６ａの上まで移動し紙幣小束Ｔの受け取りを待機する。
【００８２】
続いて小束押込機構５２が、下方の小束金庫５６ａの昇降ステージ上に積み重ねられている紙幣小束Ｔを押し下げてストッパを解除し、小束クランプ移動機構５０が、昇降ステージ上に積み重ねられている紙幣小束Ｔの最上位紙幣小束を把持する。
【００８３】
そして小束クランプ移動機構５０は、小束金庫５６ａから受け取った紙幣小束Ｔを把持したまま、小束押込機構５２から分離する。このとき認識部５４は、下側を通過した紙幣小束Ｔの金種の識別、束数の計数、施封状態の検出を行い、認識結果を制御部３０に供給する。
【００８４】
精査対象の紙幣小束Ｔの金種が認識部５４において識別でき、且つ小束金庫５６ａに収納されているべき金種の紙幣小束であり、且つ紙幣小束Ｔに紙帯が正しく施封されている場合、制御部３０は、当該紙幣小束Ｔが正常紙幣小束であると判別する。このとき小束クランプ移動機構５０は、通路５８内を昇降機構部４４の昇降路４６まで移動し、紙幣小束Ｔを離して昇降機構部４４に載置する。
【００８５】
一方、精査対象の紙幣小束Ｔの金種が認識部５４において識別できなかった場合や、小束金庫５６ａに収納されているべき金種の紙幣小束でない場合や、紙幣小束Ｔに紙帯が正しく施封されていない場合、制御部３０は、当該紙幣小束Ｔが精査リジェクト紙幣小束であると判別する。このとき施封小束支払機３は、小束クランプ移動機構５０によりオーバーフロー庫４８まで紙幣小束Ｔを運び、オーバーフロー庫シャッタを開いて当該オーバーフロー庫４８に紙幣小束Ｔを収納する。
【００８６】
施封小束支払機３は、小束金庫５６ａに収納されている紙幣小束Ｔが無くなるまで、すなわち小束金庫５６ａが空になるまで以上の処理を繰り返し行うことにより、精査処理を行う前の状態から、小束金庫５６ａ内の紙幣小束Ｔを全て昇降部４２に搬送し、当該昇降部４２に紙幣小束Ｔを一時保管させる。
【００８７】
このとき昇降機構部４４（図２）は、載置される紙幣小束Ｔが増加するに従って徐々に下降することにより、昇降機構部４４に載置された紙幣小束Ｔの最上位の紙幣小束Ｔの上に積み重なるように次の紙幣小束Ｔを載置させる。
【００８８】
続いて施封小束支払機３は、精査対象小束金庫を小束金庫５６ｂに設定し、上述した、小束金庫５６ａから昇降部４２へ紙幣小束Ｔを移動させた場合とほぼ同様にして、小束金庫５６ｂ内の紙幣小束Ｔを、現在空となっている小束金庫５６ａへ移動させつつ金種及び束数を確認する。
【００８９】
その後施封小束支払機３は、精査対象小束金庫を小束金庫５６ｃに設定し、小束金庫５６ｃ内の紙幣小束Ｔを、現在空となっている小束金庫５６ｂへ移動させつつ金種及び束数を確認する。
【００９０】
その後施封小束支払機３は、精査対象小束金庫を小束金庫５６ｄに設定し、小束金庫５６ｄ内の紙幣小束Ｔを、現在空となっている小束金庫５６ｃへ移動させつつ金種及び束数を確認する。
【００９１】
以上の処理により小束金庫５６ａ〜５６ｄに収納されている紙幣小束Ｔの金種及び束数を確認すると、施封小束支払機３は、昇降部４２に一時保管されている、小束金庫５６ａに収納されていた紙幣小束Ｔを、現在空となっている小束金庫５６ｄへ移動させる。
【００９２】
その後施封小束支払機３は、オーバーフロー庫４８に紙幣小束Ｔが収納されている場合、下部ユニット２６を施封小束支払機筐体２０から引き出させ、当該オーバーフロー庫４８から紙幣小束Ｔをオペレータに手動で取り出させて入金させ、金種及び束数を判別して金種毎に小束金庫５６に収納することにより、小束金庫５６ａ〜５６ｄに収納されている紙幣小束Ｔの金種及び束数を確定する。
【００９３】
［１−８．効果］
以上の構成において施封小束支払機３は、出金処理を行う際は小束金庫５６から入出金口４０を介し紙幣小束を出金すると共に、入金処理を行う際は入出金口４０から紙幣小束を取り込み小束金庫５６に収納するようにした。これにより施封小束支払機３は、下部ユニット２６を引き出して小束金庫５６に紙幣小束を装填するという煩雑な作業をオペレータに強いることなく、入出金口４０から昇降機構部４４に紙幣小束を載置させるという簡易な作業を行わせるだけで、紙幣小束を入金させることができる。
【００９４】
ここで、従来の施封小束支払機においては、小束金庫に紙幣小束を外部から入金する際は、下部ユニットを引き出してオペレータが手動装填する必要があったため、小束金庫内に収納された紙幣小束の金種及び束数が不確定となってしまっていた。
【００９５】
このため従来の施封小束支払機においては、手動装填が行われた際、精査処理を行うことにより金種及び在高を確定させる必要があったが、精査処理は、例えば予め空にした他の小束金庫に精査対象の小束金庫内の紙幣小束を一旦全て移動させるため、時間を要してしまっていた。
【００９６】
これに対し施封小束支払機３は、オペレータが外部から小束金庫５６に紙幣小束を収納する際、手動装填を行わせることなく、入出金口４０から入金させることができるため、入金された紙幣小束Ｔを認識部５４により認識を行った後に小束金庫５６へ収納することとなる。このため施封小束支払機３においては、入出金口４０から入金が行われた場合、小束金庫５６内の紙幣小束の金種が不確定になることはない。これにより施封小束支払機３は、精査処理よりも短時間で済む在高確認処理を行うだけで、小束金庫５６内の紙幣小束の金種及び在高を確定することができる。
【００９７】
また施封小束支払機３は、入出金口４０から入金されず手動装填が行われた場合、小束金庫５６内の紙幣小束の金種及び束数が不確定になるため、精査処理を行う一方、入出金口４０から入金処理が行われた場合又は昇降部小束装填処理が行われた場合、小束金庫５６内の紙幣小束の金種は不確定にならないため、精査処理を行わずに、在高確認処理を行うことにより在高を確定するようにした。これにより施封小束支払機３は、小束金庫５６内の紙幣小束の金種が確定しているか否かに応じて、在高確認処理よりも時間を要する精査処理を実行するか否かを選択することができる。
【００９８】
さらに施封小束支払機３は、入金処理時において、入金する紙幣小束の金種及び束数をオペレータに指定させることなく入金させるようにした。このため施封小束支払機３は、入金処理時においてオペレータが金種及び束数を指定する手間を省くことができる。
【００９９】
さらに施封小束支払機３は、入金処理時において、小束金庫５６ａ〜５６ｄのうち昇降機構部４４に最も近接している小束金庫５６ａの上で媒体押込機構としての小束押込機構５２を待機させるようにした。このため施封小束支払機３は、小束金庫５６ｂ〜５６ｄの何れかの上で小束押込機構５２を待機させる場合と比べて、昇降機構部４４から紙幣小束を把持した媒体移動機構としての小束クランプ移動機構５０が移動する距離を短くすることができ、動作効率を向上させ、入金処理に要する時間を短縮させることができる。
【０１００】
以上の構成によれば、施封小束支払機３は、紙幣小束Ｔを収納する小束金庫５６と、紙幣小束Ｔを外部へ排出すると共に外部から紙幣小束Ｔを取り込む入出金口４０と、紙幣小束Ｔが載置された昇降機構部４４を上下方向に移動させて小束金庫５６と入出金口４０との間で紙幣小束Ｔを移動させる昇降部４２と、入出金口４０から取り込んだ紙幣小束Ｔの束数及び金種を認識する認識部５４と、認識部５４に紙幣小束Ｔの束数及び金種を認識させた後に紙幣小束Ｔを小束金庫５６に収納させ、小束金庫５６内の紙幣小束Ｔの束数及び金種を確定する制御部３０とを設けるようにした。
【０１０１】
これにより施封小束支払機３は、下部ユニット２６を引き出して小束金庫５６に紙幣小束Ｔを装填するという煩雑な作業をオペレータに強いることなく、入出金口４０から昇降機構部４４に紙幣小束Ｔを載置させるという簡易な作業を行わせるだけで、紙幣小束Ｔを入金させることができる。
【０１０２】
［２．第２の実施の形態］
［２−１．出納システム及び施封小束支払機の内部構成］
図１乃至図３に示す第２の実施の形態による施封小束支払機１０３は、第１の実施の形態による施封小束支払機３と比べて、図２及び図３に示す制御部１３０が施封小束支払機３における制御部３０と異なっているものの、それ以外は同様に構成されている。
【０１０３】
施封小束支払機１０３は、施封小束支払機３における出金処理、在高確認処理及び精査処理と同様の処理を行うものの、入金処理及び昇降部小束装填処理については異なる処理を行う。
【０１０４】
［２−２．入金処理］
オペレータが操作表示部１３を操作することにより入金処理を選択すると、施封小束支払機１０３は、入出金口４０まで昇降機構部４４を移動させて入出金口シャッタを開き、オペレータからの紙幣小束Ｔの受け渡しを待機する。
【０１０５】
オペレータが昇降機構部４４に紙幣小束Ｔを載置し、操作表示部１３を操作して、入金する紙幣小束Ｔの金種及び束数を指定すると共に、入金する紙幣小束Ｔが入金リジェクト紙幣小束であった場合に入金リジェクト紙幣小束搬送先として当該紙幣小束Ｔをオーバーフロー庫４８に収納するか又は入出金口４０まで搬送するかの何れかを選択すると、施封小束支払機３は、入出金口シャッタを閉じる。
【０１０６】
昇降機構部４４は、紙幣小束Ｔを受け取ると、小束クランプ移動機構５０及び小束押込機構５２の通路５８の手前まで昇降路４６内を降りていく。昇降機構部４４が通路５８の手前まで移動すると、昇降機構部４４によって運ばれてきた紙幣小束Ｔが、通路５８の前端に移動してきた小束クランプ移動機構５０に渡される。
【０１０７】
小束クランプ移動機構５０は、昇降機構部４４から受け取った紙幣小束Ｔを把持したまま、オペレータにより指定された金種に対応する小束金庫５６（５６ａ〜５６ｄ）の上まで通路５８内を移動する。このとき、指定された金種に対応する小束金庫５６の上には、小束押込機構５２が位置しており、小束クランプ移動機構５０が指定された金種に対応する小束金庫５６の上まで移動すると、小束クランプ移動機構５０と小束押込機構５２とが一体化する。このとき認識部５４は、下側を通過した紙幣小束Ｔの金種の識別、束数の計数、施封状態の検出を行い、認識結果を制御部１３０に供給する。
【０１０８】
ここで、入金された紙幣小束Ｔが入金リジェクト紙幣小束であると制御部１３０によって判別された場合、小束クランプ移動機構５０は、入金リジェクト紙幣小束搬送先がオーバーフロー庫４８に設定されているときはオーバーフロー庫４８まで紙幣小束Ｔを運び、図６に示すようにこのオーバーフロー庫４８に紙幣小束Ｔを収納する。施封小束支払機１０３は、下部ユニット２６を施封小束支払機筐体２０から引き出させ、オーバーフロー庫４８から紙幣小束Ｔをオペレータに手動で取り出させて入金させ、金種及び束数を判別して金種毎に小束金庫５６に収納することにより、小束金庫５６ａ〜５６ｄに収納する紙幣小束Ｔの金種及び束数を確定する。
【０１０９】
一方、入金リジェクト紙幣小束搬送先が入出金口４０に設定されているときは、出金処理と同様の動作を行い図４に示すように入出金口４０から紙幣小束Ｔをオペレータに返却する。オペレータは、返却された紙幣小束Ｔの汚れや損傷、施封の状態を確認して小束や施封に問題がある場合は所定の処置をして再度入金する。施封小束支払機１０３は、入金された紙幣小束Ｔの金種及び束数を判別して金種毎に小束金庫５６に収納することにより、小束金庫５６ａ〜５６ｄに収納する紙幣小束Ｔの金種及び束数を確定する。
【０１１０】
一方、入金された紙幣小束Ｔが正常紙幣小束であると制御部１３０によって判別された場合、小束押込機構５２は、小束クランプ移動機構５０が把持している紙幣小束Ｔを下方の小束金庫５６へと押し出すことにより収納させる。
【０１１１】
このように施封小束支払機１０３は、入金処理時、金種毎に設定された小束金庫５６に紙幣小束Ｔを収納すると共に、入金リジェクト紙幣小束をオペレータにより予め設定された入金リジェクト紙幣小束搬送先であるオーバーフロー庫４８又は入出金口４０へ搬送する。
【０１１２】
［２−３．昇降部小束装填処理］
一方、昇降部小束装填処理を行う際、オペレータは、図３に示したように施封小束支払機筐体２０から下部ユニット２６を引き出す。このとき図示しない昇降機構駆動部は、昇降機構部４４を退避ポジションまで下降させる。下部ユニット２６が引き出されたことを下部ユニットセンサにより検出すると、制御部１３０は、小束金庫５６ａ〜５６ｄの小束金庫シャッタを閉鎖する。
【０１１３】
続いてオペレータは、昇降機構部４４に上方から例えば２０束分の紙幣小束Ｔを直接載置し、下部ユニット２６を押し込んで施封小束支払機筐体２０内部に収納させる。このときオペレータは操作表示部１３を操作して、入金する紙幣小束Ｔの金種及び束数を指定すると共に、入金する紙幣小束Ｔが入金リジェクト紙幣小束であった場合に入金リジェクト紙幣小束搬送先として当該紙幣小束Ｔをオーバーフロー庫４８に収納するか又は入出金口４０まで搬送するかの何れかを選択する。
【０１１４】
その後施封小束支払機１０３は、上述した入金処理とほぼ同様の動作を行う。このときも施封小束支払機１０３は、昇降機構部４４に載置された紙幣小束Ｔが正常紙幣小束であった場合は小束金庫５６に収納する一方、入金リジェクト紙幣小束であった場合は当該入金リジェクト紙幣小束をオペレータにより予め設定された入金リジェクト紙幣小束搬送先であるオーバーフロー庫４８又は入出金口４０へ搬送する。
【０１１５】
［２−４．効果］
以上の構成において施封小束支払機１０３は、入金処理時において、入金する紙幣小束の金種及び束数をオペレータに指定させるようにした。このため施封小束支払機１０３は、入金処理時において、指定された金種を収納する小束金庫５６の上で小束押込機構５２を待機させ、紙幣小束を把持した小束クランプ移動機構５０を、当該小束押込機構５２まで移動させて一体化させ、紙幣小束Ｔを小束金庫５６に収納することができる。
【０１１６】
これにより施封小束支払機１０３は、入金処理時において、紙幣小束を昇降機構部４４から小束クランプ移動機構５０により１束ずつ把持して搬送する度に小束押込機構５２を小束金庫５６ａの上に移動させて待機させ、紙幣小束Ｔを把持した小束クランプ移動機構５０を、当該小束押込機構５２まで移動させて一体化させて、認識部５４で識別した紙幣小束の金種を収納する小束金庫５６の上まで当該小束クランプ移動機構５０及び小束押込機構５２を移動させるという動作を行う必要をなくすことができる。
【０１１７】
これにより施封小束支払機１０３は、施封小束支払機３と比べて、小束押込機構５２を移動させる距離を短くすることができ、動作効率を向上させ、入金処理に要する時間を短縮させることができる。
【０１１８】
また施封小束支払機１０３は、入金処理時及び昇降部小束装填処理時において、入金する紙幣小束が異常媒体としての入金リジェクト紙幣小束であった場合、当該紙幣小束をオーバーフロー庫４８又は入出金口４０の何れに搬送するかを示す入金リジェクト紙幣小束搬送先を設定させるようにした。これにより施封小束支払機１０３は、入金リジェクト紙幣小束を入出金口４０を介して返却しオペレータが所定の処置を行って再入金するか、オーバーフロー庫４８から入金リジェクト紙幣小束をまとめて取り出させてオペレータが所定の処置を行って再入金するかという、入金リジェクト紙幣小束の扱いに関しオペレータの意思を反映させることができる。またオーバーフロー庫４８に紙幣小束を収納させた場合、オペレータは、例えば業務の繁忙時間等を避け、オペレータに都合の良いタイミングにおいて当該オーバーフロー庫４８に収納させた紙幣小束を確認することができる。
【０１１９】
その他施封小束支払機１０３は、施封小束支払機３とほぼ同様の作用効果を奏する。
【０１２０】
［３．他の実施の形態］
なお上述した第１の実施の形態においては、入金リジェクト紙幣小束を入出金口４０からオペレータに返却する場合について述べた。本発明はこれに限らず、入金リジェクト紙幣小束をオーバーフロー庫４８に収納し、その後オペレータに取り出させても良い。
【０１２１】
さらに上述した第１の実施の形態においては、小束金庫５６ａの上で小束押込機構５２が待機する場合について述べた。本発明はこれに限らず、小束金庫５６ｂ、５６ｃ及び５６ｄの何れかの上において小束押込機構５２が待機しても良い。
【０１２２】
さらに上述した実施の形態においては、小束押込機構５２に認識部５４を設ける場合について述べた。本発明はこれに限らず、例えばオーバーフロー庫４８の近傍等、種々の場所に認識部５４を設けて良い。但し小束押込機構５２に認識部５４を設けた場合、紙幣小束を小束クランプ移動機構５０が把持して移動させるだけで認識部５４を通過させて当該認識部５４により紙幣小束の種別としての金種を識別させることができる。
【０１２３】
さらに上述した実施の形態においては、昇降部４２と小束金庫５６ａとの間にオーバーフロー庫４８を配置する場合について述べた。本発明はこれに限らず、例えば小束金庫５６ｂと小束金庫５６ｃとの間や、小束金庫５６ｄの後方等、種々の箇所にオーバーフロー庫を配置して良い。
【０１２４】
さらに上述した実施の形態においては、精査処理を行う際、１つの小束金庫５６に収納された全ての紙幣小束を昇降機構部４４に一時保管する場合について述べた。本発明はこれに限らず、２つ以上の小束金庫５６から紙幣小束を昇降機構部４４に一時保管しても良い。
【０１２５】
さらに上述した実施の形態においては、４個の小束金庫５６（５６ａ〜５６ｄ）を設ける場合について述べた。本発明はこれに限らず、２個、３個又は５個以上の所定個数の小束金庫を設けて良い。
【０１２６】
さらに上述した実施の形態においては、金融機関等において紙幣を取り扱う出納システム１の施封小束支払機３及び１０３において、媒体としての紙幣小束を小束金庫５６から取り出して精査処理する場合について述べた。
【０１２７】
本発明はこれに限らず、例えば商品券、金券、小切手、チケット、入場券、カード、宝くじ、証書や証券等のような薄い紙状の媒体の小束を取り扱う種々の装置に適用しても良く、或いは現金自動預払機のような紙幣を扱う他の装置内において適用しても良い。また、複数枚の紙葉状の紙幣が施封された媒体に限らず、例えば１枚以上の紙葉状の媒体を取り扱う種々の装置に適用しても良い。
【０１２８】
さらに本発明は、上述した第１及び第２の実施の形態と、上述した他の実施の形態とに限定されるものではない。すなわち本発明は、上述した第１及び第２の実施の形態と上述した他の実施の形態の一部又は全部を任意に組み合わせた実施の形態や、一部を抽出した実施の形態にもその適用範囲が及ぶものである。
【０１２９】
さらに上述した実施の形態においては、媒体収納庫としての小束金庫５６と、入出口としての入出金口４０と、昇降部としての昇降部４２と、認識部としての認識部５４と、制御部としての制御部３０又は１０３とによって、媒体処理装置としての施封小束支払機３又は１０３を構成する場合について述べた。
【０１３０】
本発明はこれに限らず、その他種々の構成でなる媒体収納庫と、入出口と、昇降部と、認識部と、制御部とによって媒体処理装置を構成しても良い。
【産業上の利用可能性】
【０１３１】
本発明は、出納システム等に組み込まれた、小束を収納及び出金する媒体処理装置で広く利用することができる。
【符号の説明】
【０１３２】
１……出納システム、２……紙幣入出金機、３……施封小束支払機、４……紙幣補充回収機、５……新券支払機、６……棒金支払機、７……硬貨入出金機、８……認証プリンタ、９……現金外ポスト、１０……ディスプレイ、１１……キーボード、１２……制御装置、１３……操作表示部、２０……施封小束支払機筐体、２２……前側壁、２４……上部ユニット、２６……下部ユニット、３０、１３０……制御部、３２……装置間搬送部、３４……集積部、３６……紙幣クランプ移動部、３８……施封部、４０……入出金口、４２……昇降部、４４……昇降機構部、４６……昇降路、４８……オーバーフロー庫、５０……小束クランプ移動機構、５２……小束押込機構、５４……認識部、５６……小束金庫、５８……通路、Ｃｄ……入金優先金庫、Ｃｗ……出金優先金庫、Ｔ……紙幣小束。
【図１】
2015082188.tif 000003
【図２】
2015082188.tif 000004
【図３】
2015082188.tif 000005
【図４】
2015082188.tif 000006
【図５】
2015082188.tif 000007
【図６】
2015082188.tif 000008